(57)【特許請求の範囲】
【請求項１】
角柱に固定された水平受け部と、角柱に固定され、該水平受け部から一定距離だけ上方に上向き鉤状部を有する受け金具と、コーナーパネルに固定され、コーナーパネルの下端小口面から上に前記一定距離だけ上方に下向き鉤状部を有する突起金物とで構成され、前記上向き鉤状部と下向き鉤状部をはめ合わせつつ、コーナーパネルの下端小口面を前記水平受け部の上に載せることを特徴とするコーナーパネルの取付け装置。
【請求項２】
建築物の隅角部の角柱の外面に横断面Ｌ字状のコーナーパネルを取り付ける方法であって、前記角柱の屋外側外面に、長手方向に沿って、コーナーパネルの下端を支持する縦断面Ｌ字状の支持部材を固着し、長手方向に並ぶ２つの支持部材の間において、鉤状部を有する受け金具を角柱の屋外側外面に固着し、鉤状部と角柱の外面の間に上方に開く開口を設け、下方に伸びる舌片を有する突起金物を、前記受け金具に対応する位置にて、前記コーナーパネルの内側面に固着し、該コーナーパネルを上方から吊り込んで、前記突起金物の舌片を、前記受け金具の鉤状部と角柱の外面との間に挟持すると共に、コーナーパネルの下端小口面を前記支持部に支持固定することを特徴とするコーナーパネルの取付け方法。
【請求項３】
建築物の隅角部の角柱の外面に横断面Ｌ字状のコーナーパネルを取り付ける装置であって、前記角柱の屋外側外面に、コーナーパネルの下端を支持するために固着される縦断面Ｌ字状の支持部材と、支持部材の上側において角柱の屋外側外面に固着され、上方に開口する鉤状部を設けた受け金具と、前記コーナーパネルの内側面に固着され、下方に伸びる舌片を有する突起金物とからなり、コーナーパネルの下端小口面を前記支持部に支持したとき、前記突起金物の舌片が、前記受け金具の鉤状部と角柱の外面との間に挟持されることを特徴とするコーナーパネルの取付け装置。
【発明の詳細な説明】
【０００１】
【発明の属する技術分野】
この発明は、軽量気泡コンクリート（ＡＬＣ）パネルを使った建築物に関し、特に該建築物の隅角部に設けられた角柱の外面に、断面Ｌ字状のＡＬＣコーナーパネルを取り付ける方法に関する。
【０００２】
【従来の技術】
従来、鉄骨にＡＬＣパネルを取付けた建築物の隅角部に設けられた角柱の外面に、パネルの目地が出ないようにするために、水平断面がＬ字状のＡＬＣコーナーパネル（以下、コーナーパネルという）を取り付ける工法がある。
【０００３】
このコーナーパネルを乾式で取り付ける例としては、例えば図５〜７に示すように、梁２０による鉄骨躯体の隅角部の外装となるコーナーパネル１の下端を支持するＬ字状の支持部材３の垂直面を角柱２の屋外側外面に溶接固着する。すなわち、支持部材３は、コーナーパネル１の長さとほぼ等しい間隔で角柱２の高さ方向に配置される。
【０００４】
また角柱２の屋外側外面には、高さ方向で、前記支持部材３の間に所望間隔で、複数のＬ字状のアングルピース１４を取り付ける。該アングルピース１４は、厚さ３．２ｍｍ程度で、その一方の垂直面１４ａが角柱２の外面から所望寸法張り出すようにして、他方の垂直面１４ｂを角柱２に溶接固着しておく。それからコーナーパネル１を上方から吊り込んで、その下端小口面を前記支持部材３の水平面で支承させ、屋外側からスクリウビス４を捩じ込んで、前記アングルピース１４の垂直面１４ａにねじ固着する工法がある。
【０００５】
しかしこの工法では、建築現場で支持部材３や多数のアングルピース１４を、角柱２に溶接したり、コーナーパネル１をアングルピース１４にねじ固着するために、屋外に足場を仮設する必要があり、手数と費用が掛かる問題があった。またコーナーパネル１の表面から、その裏側に位置するアングルピース１４の所定位置に、スクリウビス４を捩じ込むには高度な熟練が必要であった。
【０００６】
また他の工法としては図８、９に示すように、前例と同様なＬ字状の支持部材３の垂直面を、コーナーパネル１の長さとほぼ等しい間隔で角柱２の屋外側外面に沿って溶接固着し、またコーナーパネル１と壁パネル１１の目地部のところで角柱２の外面に、複数のピースアングル１５の垂直面が角柱２と直交するように所望間隔で溶接する。一方、コーナーパネル１には、長辺小口面と裏面に跨がるＬ字状のコーナープレート１６を、前記ピースアングル１５と同じ間隔でコーナーパネル１に埋設したアンカー１ａに、ボルト１７で固着しておく。このコーナーパネル１を上方から吊り込んで、その下端小口面を前記支持部材３の水平面で支持させ、前記ピースアングル１５とコーナープレート１６の当接部を溶接する。
【０００７】
しかし、この工法では、現場溶接箇所が多いうえに、コーナープレートの取付けに手数がかかる問題があった。また前記ピースアングル１５をコーナープレート１６に溶接するため、コーナーパネル１の両側に隣接する壁パネルを取り付ける前に、コーナーパネル１を取付ける必要があるので、工程が制約される問題もあった。
【０００８】
また、特公平８一３３０６７号公報に記載のように、外面に嵌入溝を形成した条材からなる第１金具を角柱の外周に巻回して締め付け固定し、コーナーパネルに取り付けた四角枠状の第２の金具を前記嵌入溝にはめ入れて、コーナーパネルの外面からタッピングビスで固着する方法もある。この方法は現場溶接は不要であるが、足場の仮設が必要であるばかりでなく、コーナーパネルの外面から見えない前記第２の金具に、タッピングビスを捩じ込む際の位置決めに熟練を要する。
【０００９】
【発明が解決しようとする課題】
この発明は、建築物の隅角部の角柱の外面に横、断面Ｌ字状のコーナーパネルを取り付ける場合に、乾式で施工でき、現場溶接や外部足場が不要で、作業性と経済性に優れた取付け方法を提供するものである。
【００１０】
【課題を解決するための手段】
本発明のコーナーパネルの取付け装置は、角柱に固定された水平受け部と、角柱に固定され、該水平受け部から一定距離だけ上方に上向き鉤状部を有する受け金具と、コーナーパネルの下端小口面から上に前記一定距離だけ上方に下向き鉤状部とで構成され、前記上向き鉤状部と下向き鉤状部をはめ合わせつつ、コーナーパネルの下端小口面を前記水平受け部の上に載せることができる。
【００１１】
また、本発明のコーナーパネルの取付け方法では、建築物の隅角部の角柱の外面に横断面Ｌ字状のコーナーパネルを取り付ける場合に、前記角柱の屋外側外面に長手方向に沿って、コーナーパネルの下端を支持する縦断面Ｌ字状の支持部材を固着し、長手方向に並ぶ２つの支持部材の間において、上方に開口する鉤状部を構成した受け金具を少なくとも２段固着する。
【００１２】
一方、下方に伸びる舌片を有する突起金物を、前記角柱の受け金具に相対する位置にコーナーパネルの内側面にて固着する。突起金物は、具体的には、下方に開口するコ字状に形成され、その一方の脚部をコーナーパネルに固着したとき、他方の脚部が舌片を形成するように構成すればよい。
【００１３】
このコーナーパネルを上方から吊り込んで、前記コーナーパネルに固着された突起金物の舌片を、前記角柱に固着された金具の鉤状部と角柱の外面との間に差し込んで挟持すると共に、下端小口面を前記支持部に支持させて固定する。そして、この方法によれば乾式で施工でき、現場溶接や外部足場が不要で、金具も簡単なので、工数と工期、費用を節減することができる。
【００１４】
【発明の実施の形態】
以下本発明の一実施例を図面によって説明する。図１はコーナーパネルに突起金物を取り付ける状況を示す斜視図、図２はコーナーパネルを角柱に取り付けた状況を示す横断面図、図３は図２のIII−IIIに沿う縦断面図であり、図４は図３において鉤状部を有する受け金具を角柱にねじ固着して前記突起金物を挟持した状況を拡大して示す断面図である。
【００１５】
図１に示すような断面Ｌ字状のＡＬＣコーナーパネル１は幅１７５ミリ、厚さ７５ミリ、長さ３５００ミリであり、該パネル１が設置される建築物の駆体角柱２は外形１５０ミリである。ＡＬＣコーナーパネル１は、躯体角柱２に沿って立設される。
【００１６】
突起金物５は、厚さ２．３ミリ、幅５０ミリ、長さ２００ミリの条材を中央で直角に折り曲げた形で、その両端部には幅５０ミリの延長部があり、該延長部により、下方に閉口する断面コ字状に折り曲げられ、先端に舌片５ａが設けられている。突起金物５は、図２に示すように、スクリュウビス４によりコーナーパネル１に固着される。これにより、１種の鉤状部が構成される。
【００１７】
図示の場合、スクリュウビス４は突起金物５の舌片５ａから横方向に離れた位置にあるが、舌片５ａに対向する位置にあってもよい。
【００１８】
また、図３に示すような鉤状部を有する受け金具６は厚さ３．２ミリ、幅１００ミリの条材を段状あるいはイナヅマ形に折り曲げたものである。受け金具６の一方の垂直部６ａ（図で下側）を角柱の外面に当接して固着したときに、他方の垂直部６ｂ（図で上側）が鉤状部を構成するように、該垂直部６ｂの内面と角柱２の外面との間に、上方に開口する約３〜４ミリの空隙が設けられるようになっている。図３の実施例では、受け金具６は、角柱２にボルト７で固着してある。
【００１９】
さらに、図３に示すように断面Ｌ字状の支持部材３が、その垂直部をボルトで角柱２に固着されている。支持部材３の水平部から突起金物５と受け金具６までの距離は、角柱２の高さなどによって決定され、突起金物５と受け金具６がかみ合うように位置決めされる。
【００２０】
次にこれらの金具類を使用してコーナーパネル１を角柱２に取り付ける工法について説明する。先ずコーナーパネル１を取付ける角柱２の屋外側の外面には、パネル１の長さ毎に前記支持部材３の垂直部をボルト７で固着し、高さ方向に並ぶ該支持部材の間の２か所に前記受け金具６を角柱２の屋外側外面に固着しておく。なお、前記支持部材３や受け金具６は、ねじ固着でなく、工場で予め溶接しておいてもよい。一方、コーナーパネル１の内面には、前記角柱２に取り付けた受け金具６に相対する位置に、前記突起金物５を配置し、パネル１の外面からスクリュウビス４を捩じ込んで固着しておく。
【００２１】
その後、突起金物５を固着したコーナーパネル１を、図示してないクレーンなどを使用して角柱２の取付け部上方から吊り込み、突起金物５の舌片５ａを、受け金具６の鉤状部６ａと角柱２の間に差し込んで挟持すると共に、コーナーパネル１の下端小口面を前記支持部３に担持させて固定する。このようにしてコーナーパネルを順次上方に取付けていけばよい。なお、前述のコーナーパネルや金具類の寸法などは必要に応じ適宜選定すればよい。
【００２２】
【発明の効果】
本発明は、以上詳細に説明したように構成されているので、本発明のコーナーパネルの取付けを、乾式で施工でき、金具も簡単な構造で比較的安価である。そしてこの金具を予め工場で取り付けておくか、現場でボルトなどで固着できるようにしておけば、現場溶接や外部足場が不要であり、コーナーパネルの取付けも容易であるので、取付け工数と工期を大幅に節減することができる。
【図面の簡単な説明】
【図１】  コーナーパネルに金物を取り付けた状況を説明する斜視図である。
【図２】  本発明の工法でコーナーパネルを角柱に取り付けた状況を示す横断面図である。
【図３】  図１の(III)−(III)矢視断面図である。
【図４】  コーナーパネルの金具を角柱の受け金具にかみ合わせた状態を示す断面図である。
【図５】  従来の工法でコーナーパネルを角柱に取り付けた状況を示す横断面図である。
【図６】  図５の(VI)−(VI)矢視図である。
【図７】  図５に対して高さの異なる部分の断面図である。
【図８】  従来の他の工法でコーナーパネルを角柱に取り付ける状況を示す横断面図である。
【図９】  図８の(IX)−(IX)矢視断面図である。
【符号の説明】
１      コーナーパネル
２      角柱
３      支持部材
４      スクリュウビス
５      突起金物
５ａ      舌片
６      受け金具
６ａ      鉤状部
７、１７      ボルト
１１      壁パネル
１４      アングルピース
１５      ピースアングル
１６      コーナープレート
２０      梁
【図１】
0003864501.tif 000002
【図２】
0003864501.tif 000003
【図３】
0003864501.tif 000004
【図４】
0003864501.tif 000005
【図５】
0003864501.tif 000006
【図６】
0003864501.tif 000007
【図７】
0003864501.tif 000008
【図８】
0003864501.tif 000009
【図９】
0003864501.tif 000010